(57)【要約】【課題】プリグルーブにアドレス情報が記録される第１規格の記録用ディスクに、前記規格よりフォーマット効率が高い第２規格に則って高密度記録されたディスクを確実に判別するディスク判別装置を提供することを課題とする。【解決手段】プリグルーブにアドレス情報が記録される第１規格の記録用ディスクであることを判定する記録用ディスク判定機能と、前記プリグルーブのアドレス情報から同期信号を抽出するアドレス情報デコーダ４と、このアドレス情報デコーダにより検出される同期信号の一周期期間にディスクの読み取りデータから抽出されるビットクロックをカウントするカウンタ２１と、該カウンタによりカウントされたカウント値により記録用ディスクが高密度記録モード、あるいは標準記録モードに対応しているかを判定する記録モード判定機能とを備えている。これにより標準記録モード及び高密度記録モードのディスクを判別している。【選択図】図２
2004199730.tif 000002
【特許請求の範囲】
【請求項１】
記録用ディスクにあらかじめ形成されるプリグルーブにアドレス情報が記録される既存の第１規格の記録用ディスクフォーマットに対応する記録用ディスクに、前記第１規格のデータフォーマットに準拠させてデータを記録した標準記録モードのディスクと、前記記録用ディスクに、第１規格よりデータフォーマットの効率が高い第２規格のデータフォーマットに準拠させてデータを記録した高密度記録モードのディスクとを判別するディスク判別装置において、前記記録用ディスクであることを判定する記録用ディスク判定機能と、前記プリグルーブのアドレス情報を復号し、このアドレス情報から同期信号を抽出するアドレス情報デコーダと、このアドレス情報デコーダにより検出される同期信号の一周期期間にディスクの読み取りデータから抽出されるビットクロックをカウントするカウンタと、該カウンタによりカウントされたカウント値により記録用ディスクに記録されたデータの記録モードが高密度記録モードであるか標準記録モードであるかを判定する記録モード判定機能とを備えたことを特徴とするディスク判別装置。
【請求項２】
記録用ディスクのプリグルーブから抽出されるアドレス情報の一周期期間に第２規格のデータフォーマットにおける１セクタ単位の２以上の整数倍のデータを記録した高密度記録モードのディスクを判別することを特徴とする請求項１記載のディスク判別装置。
【請求項３】
前記第１規格はＣＤ規格であると共に、前記第２規格はＤＶＤ規格であることを特徴とする請求項１、あるいは請求項２記載のディスク判別装置。
【発明の詳細な説明】
【０００１】
【発明の属する技術分野】
本発明は、既存の規格のディスクフォーマットに対応のディスクにその規格よりデータフォーマットの効率が高い規格に準拠するデータフォーマットにより高密度にデータを記録したディスクを判別するディスク判別装置に関する。
【０００２】
【従来の技術】
光学ヘッドを用いて光学的に記録・再生を行う光ディスクの規格としては、ＣＤ（Compact Disc）規格と、ＣＤと同一ディスク径として機構的な互換性を確保した上で更なる大容量のニーズに応えたＤＶＤ（Digital Versatile Disc）規格が知られている。
【０００３】
このＤＶＤに対応するＤＶＤドライブにおいてはＣＤとの上位互換が確保されており、ＣＤの再生が可能となっている。
【０００４】
ところで、記録可能な光ディスクはＣＤ及びＤＶＤの両方式に存在し、ＣＤの記録方式はＣＤ−Ｒ（Recordable）及びＣＤ−ＲＷ(ReWritable)に統一されているが、ＤＶＤの記録方式は現在のところ種々の規格が乱立し、デファクトスタンダードが確立されていない状況にある。
【０００５】
ディスクに記録可能な記憶容量に関しては、ＣＤに比べてＤＶＤの方が圧倒的に大容量であり、パソコンで扱うファイルのデータ量が増大してきている状況において、ＣＤ−Ｒ及びＣＤ−ＲＷディスクの記憶容量が標準で６５０ＭＢ（メガバイト）と７００ＭＢであることからこの記憶容量では十分でない状況になってきている。
【０００６】
しかしながら、ＣＤ規格の記録方式は先に述べたように統一されており、ＣＤ−Ｒ／ＲＷドライブが普及されているので、ＣＤ−Ｒ及びＣＤ−ＲＷ用の記録系信号処理回路のＬＳＩが安価で出回っていると共に、ＣＤ−Ｒ及びＣＤ−ＲＷ用のディスクが市場に安価で出回っている。
【０００７】
そこで、ＣＤ規格のデータフォーマット、すなわち、ＣＤの変調コード（ＥＦＭ）及び誤り訂正符号（ＥＣＣ）を採用しながら、ディスクに記録するピット及びランドよりなる記録マークの長さを短縮し、規格による線密度よりも高密度化してディスクの記録容量の高容量化を図ることが提案されている（例えば、特許文献１参照。）。
【０００８】
【特許文献１】
特開２０００−２５０６４号公報
【０００９】
【発明が解決しようとする課題】
前述のように既存の規格のデータフォーマットを採用して記録容量の拡大を図ると、市場で出回っている安価な記録系信号処理回路のＬＳＩを使用できると共に、設計が容易であり、また、既存のＣＤ−Ｒ及びＣＤ−ＲＷ用ディスクを使用することが可能である。
【００１０】
しかしながら、フォーマット効率がデータフォーマットにより固定されるので、フォーマット効率を向上させてディスクに高密度記録することが出来ず、ディスクの記録再生に前記規格に適合する波長のレーザービームを用いる場合、ディスク上のレーザースポット径の関係から記録マークの長さを大幅に短縮することが出来ず、十分な高密度化が行えない問題があった。
【００１１】
その為、現行の規格よりもフォーマット効率の高い規格を採用してディスクに高密度記録させることが考えられる。
【００１２】
ところで、ＣＤ規格に比べてＤＶＤ規格のデータフォーマットの方が冗長度が小さくＣＤ規格に比べてＤＶＤ規格はフォーマット効率が高い。
【００１３】
その為、ＣＤ規格の記録用ディスク、ＣＤ−Ｒ及びＣＤ−ＲＷ用ディスクにＤＶＤ規格のデータフォーマットに則った記録データを記録するようにすると、高密度記録が可能となる。
【００１４】
しかしながら、既存のＣＤ−Ｒ及びＣＤ−ＲＷディスクを用いているので、前述のように高密度記録したディスクと、通常どおりＣＤ規格のデータフォーマットに則って標準記録したディスクとが混同し、高密度記録したディスクに誤って標準記録により追記や上書きをしてしまったり、逆に、標準記録したディスクに誤って高密度記録により追記や上書きをしてしまう問題が発生し、あるいはディスク再生が正しく行えないという問題が発生する。
【００１５】
そこで、高密度記録したディスクと標準記録したディスクとを確実に判別する必要がある。
【００１６】
本発明は、上述の問題点に鑑み、記録用ディスクにあらかじめ形成されるプリグルーブにアドレス情報が記録される既存の第１規格の記録用ディスクフォーマットに対応する記録用ディスクに、前記規格よりフォーマット効率が高い第２規格のデータフォーマットに則って高密度記録されたディスクを確実に判別できるようにしたディスク判別装置を提供することを目的とする。
【００１７】
【課題を解決するための手段】
本発明は、プリグルーブにアドレス情報が記録される第１規格の記録用ディスクであることを判定する記録用ディスク判定機能と、前記プリグルーブのアドレス情報を復号し、このアドレス情報から同期信号を抽出するアドレス情報デコーダと、このアドレス情報デコーダにより検出される同期信号の一周期期間にディスクの読み取りデータから抽出されるビットクロックをカウントするカウンタと、該カウンタによりカウントされたカウント値により記録用ディスクに記録されたデータの記録モードが高密度記録モードであるか標準記録モードであるかを判定する記録モード判定機能とを備えている。これにより第１規格の記録用ディスクフォーマットに対応する記録用ディスクに第１規格のデータフォーマットに準拠させてデータを記録した標準記録モードのディスクと、前記記録用ディスクに第１規格よりデータフォーマットの効率が高い第２規格のデータフォーマットに準拠させてデータを記録した高密度記録モードのディスクとを判別するようにしている。
【００１８】
【実施例】
図１は本発明に係るディスク判別装置を備える光ディスクドライブの一実施例を示す回路ブロック図である。図１の光ディスクドライブはＣＤの記録再生及びＤＶＤの再生が行えると共に、ＤＶＤ規格に準拠したデータフォーマットに対応させた記録信号処理及び再生信号処理が行える構成となっている。
【００１９】
図１において、１はディスクの信号トラックをトレースするレーザービームを出射し、ディスクに対してデータ信号の書き込み及び読み取りを行う光学ヘッドである。この光学ヘッド１は、ＣＤの記録再生に用いる７８０ｎｍの波長のレーザービームを発光する第１レーザーダイオード１ａと、ＤＶＤの再生に用いる６５０ｎｍの波長のレーザービームを発光する第２レーザーダイオード１ｂとを光源として備え、各レーザーダイオード１ａ，１ｂからそれぞれ発光されるレーザービームを２焦点の対物レンズ（図示せず）を介してＣＤ及びＤＶＤの各ディスクに照射する構成となっている。
【００２０】
２は光学ヘッド１から発生される各種受光出力を用いてディスクから読み取られるデータ信号のＲＦ信号（ラジオ周波信号）を生成し、そのＲＦ信号を最適レベルにゲインコントロールすると共に、各ディスクに応じてイコライジングして２値データ化し、かつ、光学ヘッド１からディスクに照射されるレーザービームのディスク信号面とのフォーカスずれを示すフォーカスエラー信号、及び前記レーザービームのディスクの信号トラックとのトラッキングずれを示すトラッキングエラー信号を生成するフロントエンド処理回路である。
【００２１】
３は前記フォーカスエラー信号に応じてメインビームをディスクの信号面に合焦させるフォーカス制御、及び前記トラッキングエラー信号に応じてメインビームをディスクの信号トラックに追従させるトラッキング制御を行うと共に、光学ヘッド１自体をディスクの径方向に送るスレッド送り制御を行うヘッドサーボ回路である。
【００２２】
４はフロントエンド処理回路２によりＣＤ方式の記録用ディスク（ＣＤ−Ｒ，ＣＤ−ＲＷ）のプリグルーブ（Pre-groove）から抽出されるウォブル（wobble）信号から時間情報アドレスのＡＴＩＰ（Absolute Time In Pre-groove）アドレスを復調するＡＴＩＰデコーダである。
【００２３】
５はフロントエンド処理回路２から出力されるディスクの読み取りデータからビットクロック（チャネルビットクロック）を抽出するＰＬＬ（Phase Locked Loop）回路、６はフロントエンド処理回路２から出力されるディスクの読み取りデータをＰＬＬ回路５により抽出されるビットクロックを動作クロックとしてＣＤ規格で規定されたデータフォーマットに対応してデコード処理を行うＣＤ用デコーダである。このＣＤ用デコーダ６はオーディオのＣＤ−ＤＡ規格により規定される範囲のデコード処理及びＣＤ−ＲＯＭ規格により規定される範囲のデコード処理を行う。
【００２４】
ＣＤ規格は変調コードとしてＥＦＭ（Eight to Fourteen Modulation）を採用し、誤り訂正符号としてＣＩＲＣ（Cross Interleaved Reed-Solomon Code）を採用しているので、前記ＣＤ用デコーダ６はこれらの変調コード及び誤り訂正符号に基づくデコード処理を行う。また、前記ＣＤ用デコーダ６はＣＤ−ＲＯＭのデータフォーマットに対応した誤り検出及び誤り訂正処理も行う。
【００２５】
７はフロントエンド処理回路２から出力されるディスクの読み取りデータをＰＬＬ回路５により抽出されるビットクロックを動作クロックとしてＤＶＤ規格のデータフォーマットに対応してデコード処理するＤＶＤ用デコーダである。ＤＶＤ規格は変調コードとしてＥＦＭ−Ｐｌｕｓ（８−１６）を採用し、誤り訂正符号としてＲＳ（Reed-Solomon） Product-Codeを採用しているので、前記ＤＶＤ用デコーダ７はこれらの変調コード及び誤り訂正符号に基づくデコード処理を行う。
【００２６】
８は接続端子９を介して接続されるパソコン等のホスト機器とのデータの受け渡しを制御するインタフェースである。
【００２７】
１０はインタフェース８を介して入力される入力データをＣＤ規格のデータフォーマットに基づくエンコード処理を行い、そのデータフォーマットに則ったデータ構造のＣＤデータを生成するＣＤ用エンコーダである。このＣＤ用エンコーダ１０によるエンコード処理は、ＣＤ−ＲＯＭ規格により規定される範囲のエンコード処理及びＣＤ−ＤＡ規格により規定される範囲のエンコード処理を含むものである。
【００２８】
１１はインタフェース８を介して入力される入力データをＤＶＤ規格のデータフォーマットに基づくエンコード処理を行い、そのデータフォーマットに則ったデータ構造のＤＶＤデータを生成するＤＶＤ用エンコーダである。
【００２９】
図中、破線により囲まれているＰＬＬ回路５、ＣＤ用デコーダ６、ＤＶＤ用デコーダ７、ＣＤ用エンコーダ１０、ＤＶＤ用エンコーダ１１、及びＰＬＬ回路５により抽出されるビットクロックをカウントするカウンタ２１は、ＤＳＰ（Digital Signal Processor）のＬＳＩにより構成されている。
【００３０】
１２はインタフェース８により入力される入力データを一時記憶し、ＣＤ用エンコーダ１０及びＤＶＤ用エンコーダ１１によってエンコード処理する際に使用されると共に、ＣＤ用デコーダ６及びＤＶＤ用デコーダ７によってデコード処理する際に使用され、かつ、デコード処理された後の再生データが蓄えられるＲＡＭ、１３は該ＲＡＭ１２の書き込み及び読み出しを制御するメモリコントローラ、１４はディスクの記録及び再生に係るシステム全般の制御を行うシステム制御マイコンである。
【００３１】
１５はＣＤ−Ｒ及びＣＤ−ＲＷの各ディスクの記録特性を考慮してディスクに最適な記録が行われるように光学ヘッド１の発光出力を制御するライトストラテジ回路、１６はＣＤ及びＤＶＤの再生時においてフロントエンド処理回路２に含まれるＡＰＣ（Automatic Power Control）回路（図示せず）に応じて第１レーザーダイオード１ａ及び第２レーザーダイオード１ｂを駆動すると共に、記録時においてライトストラテジ回路１５から発生されるパルス信号に応じて光学ヘッド１の第１レーザーダイオード１ａを駆動するレーザー駆動回路である。
【００３２】
１７はディスクを回転駆動するスピンドルモータ、１８は該スピンドルモータ１７を駆動するモータ駆動回路、１９は該モータ駆動回路１８を制御するモータ制御回路である。該モータ制御回路１９は、ディスクに記録されたデータ信号から抽出される同期信号及びビットクロックを用いて、あるいはＡＴＩＰデコーダ４により復調されるＡＴＩＰ信号と同期をとって線速度一定方式で回転制御することが出来ると共に、スピンドルモータ１７の回転に応じて発生するパルス信号を用いて角速度一定方式で回転制御可能となっている。
【００３３】
このように構成される図１の光ディスクドライブは、ＣＤ及びＤＶＤの再生が可能であると共に、ＣＤ−Ｒ及びＣＤ−ＲＷの各ディスクにＣＤ規格に準拠する標準記録モードの記録が可能であり、かつ、ＣＤ−Ｒ及びＣＤ−ＲＷの各ディスクにＤＶＤのデータフォーマットに基づくデータを記録する高密度記録モードの記録が行えるようになっている。
【００３４】
尚、記録用ＤＶＤディスクを用いた純粋なＤＶＤ記録に対応させていないが、この純粋なＤＶＤ記録に対応させた光ディスクドライブとすることも当然可能である。
【００３５】
まず、標準記録モードによる記録について説明する。
【００３６】
標準記録モードによる記録が可能と判断された場合、接続端子９に接続されるホスト機器により標準記録モードによる記録を行う設定が可能となる。
【００３７】
その為、標準記録モードによる記録設定を行うと、ホスト機器は標準記録モードに対応して光ディスクドライブを制御する制御コマンドの発生やコマンド動作手順が設定される状態となる。
【００３８】
ホスト機器から記録コマンドが送信され、光ディスクドライブに標準記録モードによるディスクへの記録が要求されると、その要求に応じて記録用ＣＤのディスクフォーマットに対応してディスク記録を実行する体制が整えられるべく、システム制御マイコン１４により各回路が通常記録モードのディスク記録を行う状態に切り替えられ、ＣＤ用エンコーダ１０を使用する記録信号処理系が選択される。
【００３９】
また、ディスク記録が行われる標準記録モード及び判別されたディスクの種別に応じてフロントエンド処理回路２、ヘッドサーボ回路３、ライトストラテジ回路１５及びレーザー駆動回路１６はディスク記録に適合した動作を行うように設定が切り替えられる。
【００４０】
また、ホスト機器から送信される記録コマンドにより要求された記録速度により記録動作を行うべくモータ制御回路１９はシステム制御マイコン１４により設定される記録速度に対応する回転速度でディスクを駆動するべくモータ駆動回路１８を制御する。
【００４１】
そして、ライトストラテジ回路１５は、設定される記録速度に対応して光学ヘッド１の第１レーザーダイオード１ａの発光出力をその記録速度に適合するあらかじめ決められた記録レベルに設定するべくレーザー駆動回路１６を制御する。
【００４２】
ディスクへの記録が開始される前に、ディスク情報を取得し、ディスク記録が可能か否か、及び記録を行えるアドレスを把握する。
【００４３】
また、設定された記録速度において、ディスクのＰＣＡ（Power Calibration Area）に発光出力を段階的に変化させて試し書きが行われ、再生した際の誤り率を最少とするべく光学ヘッド１の発光出力が最適記録レベルに設定される。
【００４４】
このようなディスク記録の準備が完了した状態で、記録を要求するコマンド及びデータがインタフェース８を介して受信されると、記録が要求されたデータがメモリコントローラ１３の制御の基にＲＡＭ１２に書き込まれる。
【００４５】
ＲＡＭ１２に書き込まれたデータの備蓄量がエンコード処理を開始するデータ容量に達すると、メモリコントローラ１３の制御によりＲＡＭ１２からデータが読み出され、このデータがＣＤ用エンコーダ１０に入力される。
【００４６】
ＣＤ用エンコーダ１０はシステム制御マイコン１４の制御の基に動作して入力データのエンコード処理を行い、このエンコード処理はまずＣＤ−ＲＯＭ規格に基づいてシンク、ヘッダ、誤り検出符号及び誤り訂正符号を必要に応じて付加し、その後、ＣＤ用エンコーダ１０内の内部ＲＡＭ（図示せず）を用いてＣＤ−ＤＡ規格に基づいてＣＩＲＣ処理を施すと共に、サブコードを付加し、かつＥＦＭ処理を施し、フレーム同期信号を付加する。
【００４７】
ＣＤ用エンコーダ１０は、このようなエンコード処理によりＣＤ規格のデータフォーマットに則ったデータ構造のＣＤデータを生成する。
【００４８】
このＣＤデータはライトストラテジ回路１５に供給され、ライトストラテジ回路１５は記録ディスクに応じてＣＤ−ＲあるいはＣＤ−ＲＷの記録特性を考慮し、ＰＣＡにおける試し書きにより設定された最適記録レベルでディスク記録が行えるようにＣＤデータに基づく記録パルスを発生する。これにより光学ヘッド１の第１レーザーダイオード１ａが駆動され、記録パルスに応じてディスクに前記ＣＤデータに基づく記録マークが形成されてディスクに記録データが記録される。
【００４９】
次に、ＣＤ−Ｒ及びＣＤ−ＲＷの各ディスクにＤＶＤのデータフォーマットに対応したデータを記録する高密度記録モードの記録動作について説明する。
【００５０】
高密度記録モードによる記録が可能と判断された場合、接続端子９に接続されるホスト機器により高密度記録モードによる記録を行う設定が可能となる。
【００５１】
その為、高密度記録モードによる記録の設定を行うと、ホスト機器は高密度記録モードに対応して光ディスクドライブを制御する制御コマンドの発生やコマンド動作手順が設定される状態となる。
【００５２】
ホスト機器から記録コマンドが送信され、光ディスクドライブに高密度記録モードによるディスクへの記録が要求されると、その要求に応じて記録用ＣＤのディスクフォーマットに対応してディスク記録を実行する体制が整えられるべく、システム制御マイコン１４により各回路が高密度記録モードのディスク記録を行う状態に切り替えられ、ＤＶＤ用エンコーダ１１を使用する記録信号処理系が選択される。
【００５３】
また、ディスク記録が行われる高密度記録モード及び判別されたディスクの種別に応じてフロントエンド処理回路２、ヘッドサーボ回路３、ライトストラテジ回路１５及びレーザー駆動回路１６はディスク記録に適合した動作を行うように設定が切り替えられる。
【００５４】
また、標準記録モードと同様に、要求された記録速度により記録動作を行うべくモータ制御回路１９はシステム制御マイコン１４により設定される記録速度に対応する回転速度でディスクを駆動するべくモータ駆動回路１８を制御し、そして、ライトストラテジ回路１５は、設定される記録速度に対応して光学ヘッド１の第１レーザーダイオード１ａの発光出力をその記録速度に適合するあらかじめ決められた記録レベルに設定するべくレーザー駆動回路１６を制御する。
【００５５】
ディスクへの記録が開始される前に、高密度記録モードに基づくディスクフォーマットに対応してディスク情報を取得し、ディスク記録が可能か否か、及び記録を行えるアドレスを把握する。
【００５６】
また、設定された記録速度において、高密度記録モードのディスクフォーマットに対応させてディスクのＰＣＡに発光出力を段階的に変化させて試し書きが行われ、再生した際の誤り率を最少とするべく光学ヘッド１の発光出力が最適記録レベルに設定される。
【００５７】
この高密度記録モードの場合、特開２００２−５６６１７号に示すように、ＡＴＩＰのアドレスに基づいて記録密度倍の実記録アドレスを算出し、この実記録アドレスに基づいて単位ごとにデータを記録して単位期間当たりの記録密度を上げることが行われる。この場合、記録密度が標準密度のあらかじめ設定されるｎ倍（ｎ＞１）とすると、実記録アドレスはＡＴＩＰアドレスのｎ倍に対応する。
【００５８】
このようなディスク記録の準備が完了した状態で、記録を要求するコマンド及びデータがインタフェース８を介して受信されると、記録が要求されたデータがメモリコントローラ１３の制御の基にＲＡＭ１２に書き込まれる。
【００５９】
ところで、高密度記録モードによる記録を行う場合、ディスクに記録されるデータの記録形態をＣＤ及びＤＶＤのいずれに設定するかの選択が行われ、この選択に応じてホスト機器によるディスク記録に係わる制御処理形態がＣＤの記録形態に則ったものとなるのかＤＶＤの記録形態に則ったものとなるのか設定される。
【００６０】
その為、ホスト機器は選択された記録形態に則った動作手順により作動し、制御コマンドを発生する。
【００６１】
インタフェース８を介して受信されたデータがＲＡＭ１２に書き込まれ、ＲＡＭ１２のデータ備蓄量がエンコード処理を開始するデータ容量に達すると、ＲＡＭ１２からデータが読み出され、ＤＶＤ用エンコーダ１１はこのデータをエンコード処理し、ＤＶＤ規格のデータフォーマットに則ったデータ構造のＤＶＤデータを生成する。
【００６２】
このＤＶＤデータはライトストラテジ回路１５に供給され、ライトストラテジ回路１５は記録ディスクに応じてＣＤ−ＲあるいはＣＤ−ＲＷの記録特性を考慮し、ＰＣＡにおける試し書きにより設定された最適記録レベルでディスク記録が行えるようにＤＶＤデータに基づく記録パルスを発生する。これにより光学ヘッド１の第１レーザーダイオード１ａが駆動され、記録パルスに応じてディスクに前記ＤＶＤデータに基づく記録マークが形成されてディスクに記録データが記録される。
【００６３】
ここで、ＤＶＤ規格のデータフォーマットはＣＤ規格のデータフォーマットに比べ冗長度が小さく、これらのデータフォーマットの冗長度の違いからＤＶＤ規格のデータフォーマットはＣＤ規格のデータフォーマットに対してフォーマット効率が約１．４９倍となる。
【００６４】
また、高密度記録モードの場合、先に述べた如く、ディスクに記録される記録データの実記録アドレスがＡＴＩＰアドレスに比べてｎ倍（ｎ＞１）になされ、図1の光ディスクドライブにおいては標準記録モードである場合に１ＡＴＩＰ期間にＣＤの１サブコードフレーム（１セクタ）分を記録するところ、高密度記録モードの場合、１ＡＴＩＰ期間にＤＶＤのデータフォーマットの２セクタ分を記録するようになっている。これにより同一トラックピッチとしながらディスクに記録される記録データの線記録密度の向上（約１．３４倍）が図られている。
【００６５】
この場合、ＣＤに適合する７８０ｎｍの波長のレーザービームを使用していることから大幅な線記録密度の向上は図れないが、ＣＤ記録用の安価な光学ヘッドを用いることが出来、また、ＣＤに比べてフォーマット効率の向上が図られているので、線記録密度の向上がＣＤの約１．３４倍とすると、フォーマット効率の約１．４９倍と合わされて高密度記録モードは標準記録モードの約２倍の記録密度で記録が行える。
【００６６】
尚、ＲＦ信号の波形再現技術の向上が図れれば、ＣＤに適合する７８０ｎｍの波長のレーザービームであっても１ＡＴＩＰ期間にＤＶＤのデータフォーマットの３セクタや４セクタ分を記録するようにして記録データの線記録密度の更なる向上を図ることも可能である。
【００６７】
次に、ディスク再生について説明する。
【００６８】
ホスト機器から送信される再生コマンドよりディスク再生が要求されると、システム制御マイコン１４により各回路がディスク再生を行う状態に切り替えられ、この際、ディスク装着時のディスク判別によって判別されたディスク種別に対応したディスク再生の体制を整えるべくフロントエンド処理回路２、ヘッドサーボ回路３及びレーザー駆動回路１６は再生する種類のディスクに適合した動作を行うように設定が切り替えられると共に、光学ヘッド１の使用するレーザーダイオード及び使用するデコーダが切り替えられる。
【００６９】
ディスク判別により装着されたディスクが再生専用ＣＤであると判断された場合、レーザー駆動回路１６により光学ヘッド１の第１レーザーダイオード１ａがディスクの種別に対応した再生に適した発光出力に設定されて駆動され、光学ヘッド１によりディスクＤの読み取りが行われる。
【００７０】
このディスクＤからの読み取り信号はフロントエンド処理回路２によりＣＤに適した信号処理が行われ、ＲＦ信号を２値化してＣＤデータを生成する。このＣＤデータはＰＬＬ回路５を介してＣＤ用デコーダ６に供給され、ＣＤ用デコーダ６により各種データに分離されると共に、ＣＤ用デコーダ６内に備える内部ＲＡＭ（図示せず）が用いられてエラー訂正を行う単位（最大インタリーブ長１０８ＥＦＭフレーム）ごとにＣＤ−ＤＡ規格に対応するデコード処理が行なわれ、更に、メモリコントローラ１３による制御でＲＡＭ１２が用いられてＣＤ−ＲＯＭ規格に対応するデコード処理が行なわれる。
【００７１】
一方、フロントエンド処理回路２により生成されるフォーカスエラー信号及びトラッキングエラー信号はＣＤに適した処理により生成されてヘッドサーボ回路３に供給される。
【００７２】
ＣＤ用デコーダ５によりデコード処理されたＣＤデータは、ＣＤ規格のデータフォーマットに対応して復調されてホスト機器の要求データとなる。
【００７３】
次に、装着されたディスクがＤＶＤであると判断された場合について説明する。
【００７４】
この場合、レーザー駆動回路１６により光学ヘッド１の第２レーザーダイオード１ｂがディスクの種別に対応した再生に適した発光出力に設定されて駆動され、光学ヘッド１によりディスクＤの読み取りが行われる。
【００７５】
このディスクＤからの読み取り信号はフロントエンド処理回路２によりＤＶＤに適した信号処理が行われ、ＲＦ信号を２値化してＤＶＤデータを生成する。このＤＶＤデータはＰＬＬ回路５を介してＤＶＤ用デコーダ７に供給され、ＤＶＤ用デコーダ７により各種データに分離されると共に、メモリコントローラ１５による制御でＲＡＭ１２が用いられてエラー訂正を行う単位（１６セクタ）ごとにＤＶＤ用デコーダ７によりデコード処理される。
【００７６】
一方、フロントエンド処理回路２により生成されるフォーカスエラー信号及びトラッキングエラー信号はＤＶＤに適した処理により生成されてヘッドサーボ回路３に供給される。
【００７７】
ＤＶＤ用デコーダ７に供給されたＤＶＤデータは、このＤＶＤ用デコーダ７によりＤＶＤ規格のデータフォーマットに対応するデコード処理により復調されてホスト機器の要求データとなる。
【００７８】
このデータは必要に応じてＲＡＭ１２に一時記憶された後、インタフェース８を介して接続端子９に接続されるホスト機器に供給される。
【００７９】
次に、装着されたディスクが高密度記録モードの記録用ＣＤディスクと判断された場合について説明する。
【００８０】
光ディスクドライブは、高密度記録モードのディスクフォーマットに対応した手順でディスクＤの読み取りが行われる。
【００８１】
光学ヘッド１は、レーザー駆動回路１６により第１レーザーダイオード１ａがディスクの種別に対応した再生に適した発光出力に設定されて駆動される。
【００８２】
光学ヘッド１によりディスクＤから読み取られる読み取り信号はフロントエンド処理回路２によりＤＶＤに適した信号処理が行われ、ＲＦ信号を２値化してＤＶＤデータを生成する。このＤＶＤデータはＰＬＬ回路５を介してＤＶＤ用デコーダ７に供給され、ＤＶＤ用デコーダ７により各種データに分離されると共に、メモリコントローラ１３による制御でＲＡＭ１２が用いられてエラー訂正を行う単位（１６セクタ）ごとにＤＶＤ用デコーダ７によりデコード処理される。
【００８３】
一方、フロントエンド処理回路２により生成されるフォーカスエラー信号及びトラッキングエラー信号は記録用ＣＤに適した処理により生成されてヘッドサーボ回路３に供給される。
【００８４】
ＤＶＤ用デコーダ７に供給されたＤＶＤデータは、このＤＶＤ用デコーダ７によりＤＶＤ規格のデータフォーマットに対応するデコード処理により復調されてホスト機器の要求データとなる。
【００８５】
このデータは必要に応じてＲＡＭ１２に一時記憶された後、インタフェース８を介してホスト機器に供給される。
【００８６】
ここで、ホスト機器はディスクＤに記録された記録形態に応じた再生機能が作動し、記録形態に基づいた再生処理が実行されるので、ホスト機器に転送されたデータは記録形態がＣＤに基づく場合であってもＤＶＤに基づく場合であっても正しく再生処理される。
【００８７】
次に、図1に示す光ディスクドライブにおける使用ディスクの判別方法について図２に示すフローチャートを用いて説明する。このディスク判別はシステム制御マイコン１４内に備える機能のディスク判別手段２０により実行される。このディスク判別手段２０には詳細は後述するが、記録用ＣＤディスク判定機能と記録モード判定機能とを備えており、これらの機能で、標準記録モードのディスクと高密度記録モードのディスクとを判別する。
【００８８】
ディスクが装着されると、まず光学ヘッド１の第１レーザーダイオード１ａがレーザー駆動回路１６により基準の再生レベルとするべく駆動され、その際のディスクからの反射光量レベルに応じてＣＤ−Ｒ及びＣＤ−ＲＷの記録用ＣＤディスクを判断する（ステップａ）。
【００８９】
この判断により記録用ＣＤディスクでないと判断された場合、あらかじめピットが形成されている再生専用ＣＤディスク、あるいはＤＶＤディスクと判定する（ステップｂ）。
【００９０】
記録用ＣＤディスクと判断された場合、光学ヘッド１の第１レーザーダイオード１ａから発光されるレーザー出力がレーザー駆動回路１６によりディスクからの反射光量レベルに応じて最適に設定されてディスクの所定位置にアクセスされてディスクに記録されている記録マーク（ピット及びランド）の信号読み取りが行われ、記録データの有無が判断される（ステップｃ）。この記録データの有無は、例えばＰＬＬ回路５がロック状態になることにより判断できる。
【００９１】
この判断により記録データが記録されていないと判断された場合、未記録ディスクと判定する（ステップｄ）。
【００９２】
一方、記録データが記録されていると判断された場合、ディスクにあらかじめ形成されたプリグルーブから抽出されるウォブルからＡＴＩＰ信号の読み取りが行われ、ＡＴＩＰデコーダ４によりＡＴＩＰ信号の同期信号のエッジ検出が行われる（ステップｅ）。
【００９３】
ＡＴＩＰ信号の同期信号のエッジ検出が行われると、カウンタ２１はＰＬＬ回路５により抽出されるビットクロックのカウントを開始する（ステップｆ）。
【００９４】
カウンタ２１によるビットクロックのカウントは、次のＡＴＩＰ信号の同期信号のエッジ検出が行われるまで継続され（ステップｇ）、この同期信号のエッジ検出されると、カウンタ２１によるビットクロックのカウントは終了される（ステップｈ）。
【００９５】
すなわち、カウンタ２１によりＡＴＩＰ信号の同期信号の一周期期間（１ＡＴＩＰ期間）におけるビットクロックの数がカウントされる。
【００９６】
カウンタ２１によりカウントされたカウント値は、ディスク判別手段２０によるディスク判別の要件となり、このカウント値がＣＤ規格のデータフォーマットに則った標準記録モードにより記録されたディスクに対応しているか否かが判断され（ステップｉ）、前記カウント値がＤＶＤ規格のデータフォーマットに則った高密度記録モードにより記録されたディスクに対応しているか否かが判断される（ステップｊ）。
【００９７】
ここで、ＣＤに記録する物理的なデータフォーマットは１ＥＦＭフレームが５８８チャネルビットであり、1サブコードフレームが９８ＥＦＭフレームにより構成され、この1サブコードフレーム期間が１ＡＴＩＰ期間に対応するので、１ＡＴＩＰ期間のチャネルビット数は５８８×９８＝５７６２４となる。
【００９８】
一方、ＤＶＤに記録する物理的なデータフォーマットは１シンクフレームが１４８８チャネルビットであり、1セクタ（ＣＤの１サブコードフレームに対応）が２６シンクフレームで構成される。そして、図1のディスクドライブにおいては、ＣＤ記録用ディスクに高密度記録モードにより記録する場合、１ＡＴＩＰ期間にＤＶＤのデータフォーマットの２セクタ分を記録するようになっている。その為、高密度記録モードにより記録されたディスクの場合、１ＡＴＩＰ期間のチャネルビット数は１４８８×２６×２＝７７３７６となる。
【００９９】
したがって、標準記録モードにより記録されたディスクを判別する場合、１ＡＴＩＰ期間のチャネルビット数である５７６２４ビットを基準にしてビット抜けやカウントミスを考慮して所定範囲の幅を設けて設定される標準記録モード対応カウント値であることをステップｉにより検出して標準記録モードにより記録されたディスクを判別する（ステップｋ）。
【０１００】
一方、高密度記録モードにより記録されたディスクを判別する場合、１ＡＴＩＰ期間のチャネルビット数である７７３７６ビットを基準にしてビット抜けやカウントミスを考慮して所定範囲の幅を設けて設定される高密度記録モード対応カウント値であることをステップｊにより検出して高密度記録モードにより記録されたディスクを判別する（ステップｌ）。
【０１０１】
尚、カウンタ２１によるカウント値が標準記録モード対応カウント値及び高密度記録モード対応カウント値のいずれにも該当しない場合は、対象外ディスクとして処理する（ステップｍ）。
【０１０２】
ここで、１ＡＴＩＰ期間を検出する為のＡＴＩＰ信号の同期信号のエッジ検出を行う際には、ディスクの回転数を考慮した１ＡＴＩＰ期間に応じて計測時間が設定されるタイマー（図示せず）によるタイプアップにより検出ミスの発生で誤って２ＡＴＩＰ期間等を検出しないようになっており、このように１ＡＴＩＰ期間が正しく行われなかった場合におけるカウンタ２１によるカウント値がディスク判別の要件にならないようになっている。
【０１０３】
以上のようにして装着されたディスクは、ディスク判別手段２０により高密度記録モードによる記録ディスク、標準記録モードによる記録ディスク、未記録ディスク、再生専用ＣＤ、ＤＶＤ、あるいは対象外ディスクと判定される。
【０１０４】
このディスク判断で高密度記録モードによる記録ディスクと判定された場合、及び未記録ディスクと判定された場合、このディスク判定の信号がインタフェース８を介して接続端子９に接続されるホスト機器に通知され、ホスト機器により高密度記録モードによる記録が可能と判断される。
【０１０５】
一方、装着されたディスクが標準記録モードによる記録ディスクと判定された場合、及び未記録ディスクと判定された場合、このディスク判定の信号がホスト機器に通知され、ホスト機器により標準記録モードによる記録が可能と判断される。
【０１０６】
【発明の効果】
以上の如く、本発明によれば、ディスク判別時にプリグルーブに記録されているアドレス情報の同期信号の一周期期間におけるビットクロックのカウント値による判断を行っているので、高密度記録モードと標準記録モードとの線記録密度の違いが検出でき、高密度記録モードと標準記録モードとのディスクを確実に判別することが出来る。
【図面の簡単な説明】
【図１】本発明に係るディスク判別装置を備える光ディスクドライブの一例を示す回路ブロック図である。
【図２】本発明に係るディスク判別装置の一実施例を説明するフローチャートである。
【符号の説明】
１          光学ヘッド
１ａ        第１レーザーダイオード
１ｂ        第２レーザーダイオード
２          フロントエンド処理回路
４          ＡＴＩＰデコーダ（アドレス情報デコーダ）
５          ＰＬＬ回路
６          ＣＤ用デコーダ
７          ＤＶＤ用デコーダ
１０          ＣＤ用エンコーダ
１１          ＤＶＤ用エンコーダ
１２          ＲＡＭ
１３          メモリコントローラ
１４          システム制御マイコン
１５          ライトストラテジ回路
２０          ディスク判別手段
２１          カウンタ
【図１】
2004199730.tif 000003
【図２】
2004199730.tif 000004